(57)【要約】【課題】表示内容を回転させることにより視認性を向上させる。【解決手段】ＣＰＵ３１は、表示データをＲＡＭ３３の描画エリアに展開し、操作パネル５０の傾きを検出して、検出した傾きに応じて描画エリアに展開した表示データを回転させる。例えば、操作パネル５０が時計回りに９０度回転したとき、表示データは反時計回りに９０度回転される。回転処理が施された表示データはインタフェース４１を介して操作パネル５０の表示部４４に供給され、表示される。【選択図】      図１
2004302201.tif 000002
【特許請求の範囲】
【請求項１】
所定の装置に設けられた表示部を制御する表示制御装置であって、
所定のコマンドおよびデータを入力する入力手段と、
所定の表示データに対応するイメージデータを作成する作成手段と、
前記作成手段によって作成された前記イメージデータを記憶する記憶手段と、
前記記憶手段によって記憶された前記イメージデータを前記表示部に表示する表示手段と、
前記記憶手段によって記憶された前記イメージデータを所定の角度だけ回転させたイメージデータに変換する変換手段と
を備え、
前記表示手段は、前記変換手段によって所定の角度だけ回転されたイメージデータを前記表示部に表示する
ことを特徴とする表示制御装置。
【請求項２】
所定の装置に設けられた表示部を制御する表示制御装置であって、
所定のコマンドおよびデータを入力する入力手段と、
前記入力手段および所定の表示データに対応するイメージデータを作成する作成手段と、
前記作成手段によって作成された前記イメージデータを記憶する記憶手段と、
前記記憶手段によって記憶された前記イメージデータを前記表示部に表示する表示手段と、
前記記憶手段によって記憶された前記イメージデータを所定の角度だけ回転させたイメージデータに変換する変換手段と
を備え、
前記表示手段は、前記変換手段によって所定の角度だけ回転された前記イメージデータを前記表示部に表示する
ことを特徴とする表示制御装置。
【請求項３】
前記装置の傾きを検出する検出手段をさらに備え、
前記変換手段は、前記検出手段による検出結果に応じて、前記記憶手段によって記憶された前記イメージデータを所定の角度だけ回転させたイメージデータに変換する
ことを特徴とする請求項１または２に記載の表示制御装置。
【請求項４】
前記表示部の形状は、正方形である
ことを特徴とする請求項１乃至３のいずれかに記載の表示制御装置。
【発明の詳細な説明】
【０００１】
【発明の属する技術分野】
本発明は、表示制御装置に関し、特に、装置本体に取り付けられた表示部と操作部とからなる操作パネル等の表示を制御する表示制御装置に関する。
【０００２】
【従来の技術】
従来、特にラベル貼付装置等においては、貼付部を上下方向に対向して配設することにより、被貼付物の表と裏の２面にそれぞれラベルを正確かつ綺麗に貼付することができるようにしたものがある（例えば、特許文献１参照）。
また、装置本体とは別体をなして画像形成に必要な操作を行う操作体および画像形成に必要な表示体を有し、かつ垂直軸線を中心として回転変位して向きを変更できるようにすることにより、操作体および表示体の操作性を高めるようにしたものがある（例えば、特許文献２参照）。
属性データとしての商品データおよびラベルの貼付速度などの制御データの複数項目を一括して入力表示部に表示するとともに、制御キー部の操作により必要とする制御データの修正を容易とすることによって、ラベルを迅速に貼付できるようにしたものがある（例えば、特許文献３参照）。
【０００３】
【特許文献１】
特開平１１−３４８９４８号公報（図１）
【特許文献２】
特開２０００−１２２３６２号公報（図１）
【特許文献３】
特開平１０−２６４９１６号公報（図１）
【０００４】
【発明が解決しようとする課題】
しかしながら、特許文献１に記載の発明では、表と裏にラベルを貼付することはできるが、操作部および表示部は装置に固定されており、装置の使用方法によっては表示部および操作部の操作性が低下するという問題があった。
また、特許文献２に記載の発明では、表示体および操作体の向きを機械的に変位させるため、複雑な機構が必要となるという問題があった。
また、特許文献３に記載の発明では、ラベルの貼付装置に入力表示部と操作キー部を上下方向を逆にして取り付けると、表示が逆さまになったまま使用するか、入力表示部および操作キー部を取り外して組み直す必要があり、使い勝手が悪いという問題があった。
【０００５】
本発明はこのような状況に鑑みてなされたものであり、表示内容を回転させることにより、操作性を向上させることができるようにするものである。
【０００６】
【課題を解決するための手段】
請求項１に記載の表示制御装置は、所定の装置に設けられた表示部を制御する表示制御装置であって、所定のコマンドおよびデータを入力する入力手段と、所定の表示データに対応するイメージデータを作成する作成手段と、作成手段によって作成されたイメージデータを記憶する記憶手段と、記憶手段によって記憶されたイメージデータを表示部に表示する表示手段と、記憶手段によって記憶されたイメージデータを所定の角度だけ回転させたイメージデータに変換する変換手段とを備え、表示手段は、変換手段によって所定の角度だけ回転されたイメージデータを表示部に表示することを特徴とする。
請求項２に記載の表示制御装置は、所定の装置に設けられた表示部を制御する表示制御装置であって、所定のコマンドおよびデータを入力する入力手段と、入力手段および所定の表示データに対応するイメージデータを作成する作成手段と、作成手段によって作成されたイメージデータを記憶する記憶手段と、記憶手段によって記憶されたイメージデータを表示部に表示する表示手段と、記憶手段によって記憶されたイメージデータを所定の角度だけ回転させたイメージデータに変換する変換手段とを備え、表示手段は、変換手段によって所定の角度だけ回転されたイメージデータを表示部に表示することを特徴とする。
また、装置の傾きを検出する検出手段をさらに備え、変換手段は、検出手段による検出結果に応じて、記憶手段によって記憶されたイメージデータを所定の角度だけ回転させたイメージデータに変換するようにすることができる。
また、表示部の形状は、正方形であるようにすることができる。
【０００７】
【発明の実施の形態】
図１は、本発明が適用されるラベル貼付装置の一実施の形態の構成例を示すブロック図である。ラベル貼付装置は、検出センサ７と、ラベル印字貼付制御部３０と、操作パネル５０と、ステッピングモータ３５，３７と、サーマルヘッド１８と、ピッチセンサ２５等から構成されている。ラベル印字貼付制御部３０は、所定のプログラムを記憶するＲＯＭ（ｒｅａｄ  ｏｎｌｙ  ｍｅｍｏｒｙ）３２と、ＲＯＭ３２に記憶されている制御プログラムに従って動作し、各部を制御するＣＰＵ（ｃｅｎｔｒａｌ  ｐｒｏｃｅｓｓｉｎｇ  ｕｎｉｔ）３１と、ＣＰＵ３１が動作する上で必要となる各種データを記憶するとともに、後述する表示データや入力部に対応する図形のイメージが展開される描画エリアを有するＲＡＭ（ｒａｎｄｏｍ  ａｃｃｅｓｓ  ｍｅｍｏｒｙ）３３と、ステッピングモータ３５にパルス信号を供給し、ステッピングモータ３５を回転駆動させてプラテンローラ（図示せず）を回転駆動させるプラテン制御部３４と、ＣＰＵ３１の制御下、ラベルの台紙を巻き取るステッピングモータ３７にパルス信号を供給し、ステッピングモータ３７を回転駆動させる巻取制御部３６と、ＣＰＵ３１から供給される印字すべき文字、図形、およびバーコード等の印字データに対応する制御信号を生成し、サーマルヘッド１８に供給し、印字動作を行わせるヘッド制御部３８と、ＣＰＵ３１の制御下、ピッチセンサ２５の発光部を制御し、光を出射させるとともに、受光部から出力される電気信号を受け取り、ピッチ検出データとしてＣＰＵ３１に供給するセンサ制御部３９と、内部インタフェース４０と、インタフェース４１，４２とを備えている。
【０００８】
内部インタフェース４０には、図示せぬラベル貼付機構部を制御する貼付制御部４５が接続される。貼付制御部４５には検出センサ７が接続されている。なお、貼付制御部４５は、ラベル貼付機構部を制御するための図示せぬエアー制御部、シリンダ制御部、および各種センサを制御するとともに、検出センサ７からの信号を受けるセンサ制御部（図示せず）等を備えている。
【０００９】
インタフェース４１には、各種データやコマンドを入力するための入力部４３と、入力部４３から入力された入力データや、各種情報を表示するための表示部４４とからなる操作パネル５０が接続されている。また、ＣＰＵ３１は、インタフェース４２を介して外部に接続されたホストコンピュータ４との間で各種データや信号等の送受信を行うことができるようになっている。
【００１０】
ＣＰＵ３１は、貼付制御部４５に接続された検出センサ７から、パック商品を検出したことを示す検出信号を内部インタフェース４０を介して受信すると、この検出信号をインタフェース４２を介して通信ケーブル８経由でホストコンピュータ４に供給するようになっている。
【００１１】
図２は、ラベル貼付装置の設置状態と操作パネル５０の位置関係を示している。この例では、図２（Ａ）に示すように、入力部４３および表示部４４よりなる操作パネル５０は、ラベル貼付装置の側面に設けられている。従って、図２（Ｂ）に示すように、ラベル貼付装置の筐体を９０度だけ回転させると、入力部４３および表示部４４よりなる操作パネル５０も筐体とともに９０度だけ回転し、表示部４４の表示および入力部４３の各種操作キーも９０度回転することになる。ラベル貼付装置をさらに９０度回転させると、図２（Ｃ）に示すように、入力部４３および表示部４４よりなる操作パネル５０もさらに９０度回転し、表示部４４の表示がさらに９０度回転し、入力部４３の操作キーもさらに９０度回転することになる。また、ラベル貼付装置をさらに９０度回転させると、図２（Ｄ）に示すように、入力部４３および表示部４４よりなる操作パネル５０もさらに９０度回転し、表示部４４の表示がさらに９０度回転し、入力部４３の操作キーもさらに９０度回転することになる。
【００１２】
図３は、入力部４３および表示部４４からなる操作パネル５０の例を示している。この操作パネル５０は、液晶表示装置等からなる表示部４４と、複数のキーからなる入力部４３により構成されている。表示部４４に表示される表示データは、図２（Ａ）の状態では、通常通り表示され、図２（Ｂ）の状態では、表示データが反時計回りに９０度だけ回転される。また、図２（Ｃ）の状態では、表示データが反時計回りに１８０度だけ回転される。さらに、図２（Ｄ）の状態では、表示データが反時計回りに２７０度だけ回転される。
【００１３】
図４は、操作パネル５０の他の例を示している。この操作パネルは、タッチパネルで構成されており、表示部４４と入力部４３が画面に表示されている。入力部４３には、例えば、キーの図形が表示され、そのキーを画面上で押すと、そのキーが押されたことが検出されるようになっている。すなわち、ＲＡＭ３３の描画エリアには、表示部４４に表示すべき表示データと、入力部４３に対応するキー等のイメージデータが展開される。そして、この例の場合、表示部４４と入力部４３が、図２（Ａ）乃至図２（Ｄ）に示したラベル貼付装置の設置状態に応じて回転される。
【００１４】
次に、図５のフローチャートを参照して、操作パネル５０の表示部４４の表示を制御する手順について説明する。まず最初に、ステップＳ１において、ＣＰＵ３１は、ＲＡＭ３３の描画エリアに、表示データに対応するイメージデータ（ビットマップイメージデータ）を展開する。
【００１５】
次に、ステップＳ２において、ＣＰＵ３１は、ラベル貼付装置の設置状態から、操作パネル５０の傾きを検出する。例えば、オペレータが操作パネル５０の入力部４３を操作して、ラベル貼付装置の傾きに対応するキーを押すと、このキーに対応するキーデータがＣＰＵ３１に供給される。ＣＰＵ３１は、入力部４３より供給されたキーデータに基づいて、操作パネル５０の傾きを認識することができる。或いは、操作パネル５０の傾きを検出するセンサを設け、このセンサからの出力信号に基づいて操作パネル５０の傾きを認識するようにすることもできる。
【００１６】
次に、ステップＳ３において、ＣＰＵ３１は、ステップＳ２において検出された操作パネル５０の傾きに応じて、ＲＡＭ３３の描画エリアに展開された表示データを回転させる。例えば、ラベル貼付装置が図２（Ｂ）に示すような状態で設置されたとき、ＲＡＭ３３の描画エリアに展開された表示データを反時計回りに９０度だけ回転させる。また、ラベル貼付装置が図２（Ｃ）に示すような状態で設置されたとき、ＲＡＭ３３の描画エリアに展開された表示データを反時計回りに１８０度だけ回転させる。さらに、ラベル貼付装置が図２（Ｄ）に示すような状態で設置されたとき、ＲＡＭ３３の描画エリアに展開された表示データを反時計回りに２７０度だけ回転させる。
【００１７】
次に、ステップＳ４において、ＲＡＭ３３の描画エリアに展開され、ラベル貼付装置の設置状態に応じて回転処理が施された表示データが表示部４４に供給され、表示される。ステップＳ５においては、ラベル貼付装置の電源がオフされるなどして処理の終了が指示されたか否かが判定される。処理の終了が指示されていないと判定された場合、ステップＳ２に戻り、ステップＳ２以降の処理が繰り返し実行される。一方、処理の終了が指示されたと判定された場合、本処理を終了する。
【００１８】
このように、表示部４４に表示される表示データが、ラベル貼付装置の設置状態に応じて回転されるので、オペレータは、表示部４４に表示された文字等を表示部４４の向きや姿勢に制約されることなく容易に視認することが可能となる。
【００１９】
次に、図６のフローチャートを参照して、操作パネル５０が図４に示したようにタッチパネルにより構成されている場合に、表示部４４および入力部４３の表示を制御する手順について説明する。まず最初に、ステップＳ１１において、ＣＰＵ３１は、ＲＡＭ３３の描画エリアに、表示データと入力部４３の図形（複数のキーの図形）に対応するイメージデータ（ビットマップイメージデータ）を展開する。
【００２０】
次に、ステップＳ１２において、ＣＰＵ３１は、ラベル貼付装置の設置状態から、操作パネル５０の傾きを検出する。例えば、オペレータが操作パネル５０の入力部４３を操作して、ラベル貼付装置の傾きに対応するキーを押すと、このキーに対応するキーデータがＣＰＵ３１に供給される。ＣＰＵ３１は、入力部４３より供給されたキーデータに基づいて、傾きを認識することができる。或いは、傾きを検出するセンサを設け、このセンサからの出力信号に基づいて操作パネル５０の傾きを認識することもできる。
【００２１】
次に、ステップＳ１３において、ＣＰＵ３１は、ステップＳ１２において検出された操作パネル５０の傾きに応じて、ＲＡＭ３３の描画エリアに展開された表示データと入力部４３の図形を回転させる。例えば、ラベル貼付装置が図２（Ｂ）に示すような状態で設置されたとき、ＲＡＭ３３の描画エリアに展開された表示データと入力部４３の図形を反時計回りに９０度だけ回転させる。また、ラベル貼付装置が図２（Ｃ）に示すような状態で設置されたとき、ＲＡＭ３３の描画エリアに展開された表示データと入力部４３の図形を反時計回りに１８０度だけ回転させる。さらに、ラベル貼付装置が図２（Ｄ）に示すような状態で設置されたとき、ＲＡＭ３３の描画エリアに展開された表示データと入力部４３の図形を反時計回りに２７０度だけ回転させる。
【００２２】
次に、ステップＳ１４において、ＲＡＭ３３の描画エリアに展開され、ラベル貼付装置の設置状態に応じて回転処理が施された表示データと入力部４３の図形に対応するイメージデータが表示部４４に供給され、表示される。ステップＳ１５においては、ラベル貼付装置の電源がオフされるなどして処理の終了が指示されたか否かが判定される。処理の終了が指示されていないと判定された場合、ステップＳ１２に戻り、ステップＳ１２以降の処理が繰り返し実行される。一方、処理の終了が指示されたと判定された場合、本処理を終了する。
【００２３】
このように、表示部４４に表示される表示データと入力部４３の図形が、ラベル貼付装置の設置状態に応じて回転されるので、オペレータは、表示部４４に表示された文字等を容易に視認することが可能になるとともに、容易にキー操作を行うことができる。
【００２４】
なお、上記実施の形態においては、本発明をラベル貼付装置に適用する場合について説明したが、これに限定されるものではなく、他の装置にも本発明を適用することができる。
【００２５】
また、上記実施の形態の構成および動作は例であって、本発明の趣旨を逸脱しない範囲で適宜変更することができることは言うまでもない。
【００２６】
【発明の効果】
以上の如く、本発明に係る表示制御装置によれば、所定の表示データに対応するイメージデータを所定の角度だけ回転させたイメージデータに変換し、表示部に表示するようにしたので、表示部の傾きに応じて表示データを回転させることができ、視認性を向上させることができる。
また、所定のコマンドおよびデータを入力する入力手段と所定の表示データに対応するイメージデータを所定の角度だけ回転させたイメージデータに変換し、表示部に表示するようにしたので、表示部の傾きに応じて入力手段に対応するイメージと表示データを回転させることができ、操作性および視認性を向上させることができる。
【図面の簡単な説明】
【図１】本発明のラベル貼付装置の構成例を示すブロック図である。
【図２】ラベル貼付装置の設置状態を示す図である。
【図３】操作パネル５０の例を示す図である。
【図４】操作パネル５０の他の例を示す図である。
【図５】本実施の形態の処理手順を説明するためのフローチャートである。
【図６】本実施の形態の他の処理手順を説明するためのフローチャートである。
【符号の説明】
４    ホストコンピュータ
７    検出センサ
８    通信ケーブル
１８  サーマルヘッド
２５  ピッチセンサ
３０  ラベル印字貼付制御部
３１  ＣＰＵ
３２  ＲＯＭ
３３  ＲＡＭ
３４  プラテン制御部
３５，３７  ステッピングモータ
３６  巻取制御部
３８  ヘッド制御部
３９  センサ制御部
４０  内部インタフェース
４１，４２  インタフェース
４３  入力部
４４  表示部
４５  貼付制御部
５０  操作パネル
【図１】
2004302201.tif 000003
【図２】
2004302201.tif 000004
【図３】
2004302201.tif 000005
【図４】
2004302201.tif 000006
【図５】
2004302201.tif 000007
【図６】
2004302201.tif 000008